(57)【要約】 【課題】一人で持ち運びするための把手部の不使用時に、把手部に周囲からの干渉や衝撃を受けずに良好で効率的な収納、車載状態が得られる壁紙糊付機の提供。【解決手段】壁紙糊付機の本体を構成する上部構体が、その左右両側壁同士の間に前後位置で互いに平行に横架された二本の棒状ステーと、該ステーの左右両端よりそれぞれ予め定められた距離だけ中央寄りの位置に該二本のステー間に回動可能に装着された一対の略Ｄ字形状の把手部と、を備え、一対の把手部に、対応するステーに係合して握り部が糊付機本体の上方へ突出する掴み状態と握り部が糊付機本体の下方へ向いて把手部の底面が上面を向く吊下状態とが解除可能に固定される係合部を前後両側に備えた。【選択図】      図１
2010274475.tif 000002
【特許請求の範囲】
【請求項１】
それぞれ複数のローラが回転可能に軸支された上部構体と下部構体との間で後部から引き入れられたシート状壁装材を前部に引き出しながら、前記下部構体内の糊桶に収容された糊を前記壁装材の裏面に転写塗布する糊付機本体を備えた壁紙糊付機において、
前記上部構体は、各ローラ両端を軸支する左右両側壁と、上部構体の前後位置で前記左右両側壁同士の間に互いに平行に横架された二本の棒状ステーと、前記二本の棒状ステーの左右両端よりそれぞれ予め定められた距離だけ中央寄りの位置に該二本のステー間に回動可能に装着された一対の略Ｄ字形状の把手部と、を備え、
前記二本のステーは、前記装着対象の把手部と対面する内側面に把手部を回動可能に支持するステー側嵌合部を有し、
前記一対の把手部は、握り部の下方の前後両端部の前記ステー内面に対面する外表面に前記ステー側嵌合部に回動可能に支持される把手側嵌合部と、対応するステーに係合して握り部が糊付機本体の上方へ突出する掴み状態と握り部が糊付機本体の下方へ向いて把手部の底面が上面を向く吊下状態とが解除可能に固定される係合部を前後両側に備えていることを特徴とする壁紙糊付機。
【請求項２】
前記ステー側嵌合部と把手側嵌合部は、互いに嵌合する凹凸形状で構成されることを特徴とする請求項１に記載の壁紙糊付機。
【請求項３】
前記係合部は、前記掴み状態と吊下状態にて対面するステーを上下で挟持する一対の突部を備え、該一対の突部は、互いに対向状態で前記ステーの上下幅より小さい幅間隔で撓み可能に把手部に一体に形成されていることを特徴とする請求項１又は２に記載の壁紙糊付機。
【請求項４】
前記上部構体に装着されてその上面を覆う蓋部を更に備え、
該蓋部は、上部構体装着時に前記掴み状態にある一対の把手部が上方へ突き出ると共に前記吊下状態にある一対の把手部の底面が露呈する二つの開口を有し、該開口は、前記吊下状態の把手部の底面でほぼ全面が塞がれることを特徴とする請求項１〜３のいずれか１項に記載の壁紙糊付機。
【請求項５】
前記糊付機本体は、一対の主脚部が折り畳み可能に該糊付機本体の下方に一体的に設けられていることを特徴とする請求項１〜４のいずれか１項に記載の壁紙糊付機。
【発明の詳細な説明】
【技術分野】
【０００１】
本発明は、壁紙糊付機に関するものであり、詳しくは把手部の構造に関するものである。
【背景技術】
【０００２】
一般的に、建築物の内装施工において、室内壁面への壁装材の貼付作業は、現場で専用の壁紙糊付機を用いてシート状の壁装材の裏面に糊を連続的に塗布しながら行っている。この壁紙糊付機として、内部に複数のローラが配置された上部構体及び下部構体から主に糊付機本体が構成され、該糊付機本体の上下構体の間に挟み込んだシート状壁装材（以下、クロスと記す）を各種ローラで搬送しながら下部構体内の糊桶に軸支されている糊掻上げローラで糊桶から糊をすくい上げて糊付けローラに転写し、この糊付けローラによりクロス裏面に塗付していくものが一般的である。
【０００３】
壁紙糊付機には手動式と自動式があり、具体的な構成の一例としては、下部構体上に原反ロールから繰り出されるクロスを先端部が本体前面に垂れる状態で載置して上部構体を閉じて下部構体と上部構体の所定ローラ間にクロスを挟み込んだ状態において、手動式装置ではクロス先端を作業者が手で持って前方へ引っ張ることによりローラの一部を追従回転させると共に他のローラをギアを介して連動回転させるものであり、自動式装置では所定のローラの軸を電動モータ等の駆動源に連結して回転させることによって他のローラもギアを介して連動回転するものが一般的である。
【０００４】
このような壁紙糊付機は、現場で使用するため、糊付機本体には、搬送時に持ち運べるような把手部が設けられている。上述のように、クロスを搬送する各ローラは、一般的なクロス幅に応じた長さを持ち、これらローラを互いに略平行に軸支する糊付機本体も、ローラ長に応じた長尺のハウジング形態を有しており、長尺の両端部、例えば、ハウジングのうち、各ローラを軸支する左右両側壁面の各上部に把手部が突設されている。
【０００５】
なお、壁紙糊付機によっては糊付機本体が載置される脚部付き台座部が糊付機本体と分離可能となっている場合には、それぞれを分離状態で搬送することもあり、糊付機本体を一人で持ち運ぶこともある。しかし、左右一対の把手部が左右両側壁上という本体の両端位置にあると一人で両手を拡げて掴むこと自体が困難であるため、左右一対の把手部を本体両端よりも中央寄りに設けて一人でも容易に持ち運びできるようにしたものも多くある（例えば、特許文献１参照。）。
【０００６】
この場合、各把手部は、糊付機本体の上部構体の前後で左右両側壁面同士の間に横架された二本のパイプステーを取付部として利用しており、それぞれ前後二本のステーに亘るように略コノ字形状の把手部の開放側両端部が固定されている。また、待機時、収納時等には、乾燥を防止しり、各ローラの表面や隙間に埃、ゴミ等が入り込まないように、上部構体の上面を蓋部で覆う構成ものものある。上記のように糊付機本体の左右両端よりも中央寄りに把手部が突設されている場合、把手部の上部が突き出ることができように蓋部の対応位置に開口が形成されているものもある（例えば、特許文献２参照。）。
【先行技術文献】
【特許文献】
【０００７】
【特許文献１】特開２００７−０６９０５１号公報
【特許文献２】特開２００２−８６０３７号公報
【発明の概要】
【発明が解決しようとする課題】
【０００８】
しかしながら、上記の如く従来の把手部は、ステーに固定され、常に上方へ突出した状態となっているため、不使用時の収納状態や、現場への搬送時の車載状態において、把手部が外力の作用を受けやすく、例えば周囲の他の収納物等に干渉されたり、衝撃を受けて破損する恐れがあった。また、これを回避するためには、把手部周りに余分に占有空間を確保する必要が生じ、収納、車載等が非効率的となってしまう。
【０００９】
本発明の目的は、上記問題点に鑑み、壁紙糊付機の一人での持ち運びを容易とする把手部の不使用時において、余分な占有空間を確保することなく、把手部に周囲からの干渉や衝撃を受けずに良好で効率的な収納状態や車載状態が得られる壁紙糊付機を提供することにある。
【課題を解決するための手段】
【００１０】
上記目的を達成するため、請求項１に記載の発明に係る壁紙糊付機は、それぞれ複数のローラが回転可能に軸支された上部構体と下部構体との間で後部から引き入れられたシート状壁装材を前部に引き出しながら、前記下部構体内の糊桶に収容された糊を前記壁装材の裏面に転写塗布する糊付機本体を備えた壁紙糊付機において、前記上部構体は、各ローラ両端を軸支する左右両側壁と、上部構体の前後位置で前記左右両側壁同士の間に互いに平行に横架された二本の棒状ステーと、前記二本の棒状ステーの左右両端よりそれぞれ予め定められた距離だけ中央寄りの位置に該二本のステー間に回動可能に装着された一対の略Ｄ字形状の把手部と、を備え、前記二本のステーは、前記装着対象の把手部と対面する内側面に把手部を回動可能に支持するステー側嵌合部を有し、前記一対の把手部は、握り部の下方の前後両端部の前記ステー内面に対面する外表面に前記ステー側嵌合部に回動可能に支持される把手側嵌合部と、対応するステーに係合して握り部が糊付機本体の上方へ突出する掴み状態と握り部が糊付機本体の下方へ向いて把手部の底面が上面を向く吊下状態とが解除可能に固定される係合部を前後両側に備えているものである。
【００１１】
請求項２に記載の発明に係る壁紙糊付機は、請求項１に記載の壁紙糊付機において、前記ステー側嵌合部と把手側嵌合部は、互いに嵌合する凹凸形状で構成されるものである。
【００１２】
請求項３に記載の発明に係る壁紙糊付機は、請求項１又は２に記載の壁紙糊付機において、前記係合部は、前記掴み状態と吊下状態にて対面するステーを上下で挟持する一対の突部を備え、該一対の突部は、互いに対向状態で前記ステーの上下幅より小さい幅間隔で撓み可能に把手部に一体に形成されているものである。
【００１３】
請求項４に記載の発明に係る壁紙糊付機は、請求項１〜３のいずれか１項に記載の壁紙糊付機において、前記上部構体に装着されてその上面を覆う蓋部を更に備え、該蓋部は、上部構体装着時に前記掴み状態にある一対の把手部が上方へ突き出ると共に前記吊下状態にある一対の把手部の底面が露呈する二つの開口を有し、該開口は、前記吊下状態の把手部の底面でほぼ全面が塞がれるものである。
【００１４】
請求項５に記載の壁紙糊付機は、請求項１〜４のいずれか１項に記載の壁紙糊付機において、前記糊付機本体は、一対の主脚部が折り畳み可能に該糊付機本体の下方に一体的に設けられているものである。
【発明の効果】
【００１５】
本発明の壁紙糊付機においては、上部構体の左右両側壁同士の間に前後位置で互いに平行に横架された二本の棒状ステーを備え、該二本の棒状ステーの左右両端よりそれぞれ予め定められた距離だけ中央寄りの位置に一対の略Ｄ字形状の把手部が二本のステー間に回動可能に装着され、把手部の前後両側に設けられた対応するステーに係合する係合部によって、握り部が糊付機本体の上方へ突出する掴み状態と握り部が糊付機本体の下方へ向いて把手部の底面が上面を向く吊下状態とが解除可能に固定されるものであるため、一対の把手部を前記掴み状態に固定すれば一人でも容易に把手部を握って持つ運ぶことができ、また把手部を使用しない時には、係合部による固定を解除して把手部をその握り部が糊付機本体の下方側へ向くように回動させ、把手部底面が上面を向いた吊下状態として固定すれば、把手部は周囲からの干渉や衝撃を受ける恐れはなくなり、把手部周りに余計な占有空間を確保する必要もなく、壁紙糊付機は効率的で良好な収納状態あるいは車載状態が得られるという効果がある。
【図面の簡単な説明】
【００１６】
【図１】本発明の一実施例による壁紙糊付機の上部構体の概略構成図であり、（ａ）は一対の把手部が掴み状態に固定されている場合の蓋部装着状態を示す斜視図、（ｂ）は蓋部を取り外して把手部を掴み状態から吊下状態へ移行する過程を示す斜視図、（ｃ）は一対の把手部が吊下状態に固定されている場合の蓋部装着状態を示す斜視図である。
【図２】本実施例の把手部の構成を示す斜視図であり、（ａ）は掴み状態を、（ｂ）は吊下状態をそれぞれ示す。
【図３】本実施例による壁紙糊付機の全体構成を示す概略斜視図である。
【発明を実施するための形態】
【００１７】
本発明の壁紙糊付機は、下部構体との間で後部から引き入れられたシート状壁装材を前部に引き出しながら下部構体内の糊桶から掻き上げられた糊を壁装材の裏面に塗布する糊付機本体の上部構体が、各ローラ両端を軸支する左右両側壁同士の間に上部構体の前後位置で互いに平行に横架された二本の棒状ステーを備え、該二本の棒状ステーの左右両端よりそれぞれ予め定められた距離だけ中央寄りの位置に一対の略Ｄ字形状の把手部が二本のステー間に回動可能に装着されるものである。さらに本発明では、前記二本のステーの装着対象の把手部と対面する内側面に把手部を回動可能に支持するステー側嵌合部を有しており、一対の把手部には、握り部の下方の前後両端部の前記ステー内面に対面する外表面にステー側嵌合部に回動可能に支持される把手側嵌合部が設けられていると共に、対応するステーに係合して握り部が糊付機本体の上方へ突出する掴み状態と握り部が糊付機本体の下方へ向いて把手部の底面が上面を向く吊下状態とが解除可能に固定される係合部が前後両側に設けられている。
【００１８】
従って、本発明の壁紙糊付機においては、上部構体の前後二本のステーに装着された略Ｄ字形状の一対の把手部が、その握り部下方の前後両端部と対面するステーの内側面とで互いに嵌合する嵌合部を可動中心として回動するものであり、上部構体の上面から握り部が突出した掴み状態が係合部によって固定された把手部は、この掴み状態にて一人でも容易に把手部を握って持ち運ぶことができ、また把手部を使用しない時には、係合部による固定を解除して把手部をその握り部が糊付機本体の下方側へ向くように回動させ、把手部底面が上面を向いた吊下状態として固定することができるため、該吊下状態とすれば、把手部は周囲からの干渉や衝撃を受ける恐れはなくなり、把手部周りに余計な占有空間を確保する必要もなく、壁紙糊付機は効率的で良好な収納状態あるいは車載状態が得られる。
【００１９】
なお、一対の把手部をステーに対して回動可能に支持するための嵌合部としては、種々のものが採用可能であるが、できるだけ簡単な設計のものが望ましい。例えば、ステー側嵌合部と把手部側嵌合部とが互いに嵌合して摺動可能な凹凸形状で構成されるものが最も簡便な構成の一つとして好適である。
【００２０】
この場合、把手部とステーとが互いに対面する対応位置において、ステー内側面あるいは把手部下方前後端部の外側面に部材と一体的に形成された凸部を設けると共に、把手部下方端部の外表面あるいはステー内側面に前記凸部と摺動可能に嵌合する凹部を形成するだけでよい。
【００２１】
また、把手部の掴み状態と吊下状態とを解除可能に固定する係合部も、できるだけ簡便な設計のものが望ましい。例えば、掴み状態と吊下状態にて対面するステーを上下で挟持するステー上下幅より小さい幅間隔の一対の突部を把手部の前後端部外表面の前記嵌合部に影響しない部位で把手部と一体形成したものが好適である。
【００２２】
この一対の突部は、互いに対向状態でステーを上下で挟持することによって把手部を前記掴み状態あるいは吊下状態で固定するが、把手部に対して逆側の状態へ回動させる方向へある程度以上の外力を加えれば、一対の突部は部材に撓みにより互いに離れる方向に拡げられながらステー挟持状態から外れ、回動することができ、逆側の状態でさらに把手部に外力を加えれば、一対の突部はその部材撓みによりステーを挟持するように嵌め込まれ、把手部の固定状態が得られる。
【００２３】
また、上部構体の上面を蓋部で覆って、収納時や搬送時に構体内部にゴミ等が入り込むのを防いだり、待機中にローラ表面にゴミが付着したり糊が乾燥するのを防ぐ場合、蓋部には、掴み状態にある一対の把手部が上方へ突き出る二つの開口を設けておけば、把手部に干渉することなく蓋部を上部構体に良好に装着できる。この開口は、一対の把手部が吊下状態にある場合には把手部底面が露呈することになるが、この把手部の底面でほぼ開口全面が塞がれる設計とすれば、開口からゴミ等が浸入するのを防止できる。
【００２４】
以上のような構成を備えた本発明における把手部は、壁紙糊付機が脚部付き台座部と分離された糊付機本体の持ち運びにはもちろん、主脚部が折り畳み可能に下方に一体的に設けられている糊付機本体の持ち運びにも有効である。
【００２５】
後者では、一人での運搬のために、台車を取り外して軽量化を図るものとする。即ち、脚部は糊付機本体の下方、実際的には下部構体の下方に直接付加する構成となる。この場合、脚部が折り畳まれた状態において、一対の把手部を握って一人で持ち運ぶのに脚部が邪魔にならないように、キャスターを含めた脚部構成の全てが壁紙糊付機本体の直下領域内に収納される構成が最適である。
【実施例】
【００２６】
本発明の一実施例として、蓋部および脚部付きの壁紙糊付機を図１〜３を用いて以下に説明する。図１は、本実施例による壁紙糊付機の上部構体部分の概略構成図であり、（ａ）〜（ｃ）は把手部の掴み状態から吊下状態までの移行過程を示す斜視図である。ここでは、下部構体以下の装置構成は省いてある。図２は図１の上部構体に装着される把手部の拡大斜視図であり、図３は本壁紙糊付機の全体構成を示す概略斜視図である。
【００２７】
本実施例における壁紙糊付機は、基本的構成は従来と同様である。即ち、糊付機本体１は、糊桶を内部に備えた下部構体３とその上に開閉可能に載置される上部構体４とによって構成される。下部構体３の左右両側壁の一方にはコントローラ６が装着され、下部構体３の後面側には着脱可能なスリッターが配され、上部構体４はこの下部構体３の上部を覆うように配されている。
【００２８】
着脱可能に本体に装着されるコントローラ６内の駆動源（図示せず）の駆動軸には、糊付けローラが連結されており、この糊付けローラは、できるだけ糊桶内に沈む下方位置の配置となるように、下部構体３の左右両側壁の軸支板に軸支されている。また、糊付けローラに当接する糊上げローラが糊桶の左右両側壁に中心より後面側寄りの位置に軸支されており、糊桶内の糊を回転によって掻き上げて糊付けローラに転写する。
【００２９】
また、糊付けローラの回転軸は、下部構体３に配置される下ピンチローラ、ドクターローラ、均しローラ及び上部構体４に配置される検尺ローラとして用いられる上ピンチローラ４１、押さえローラ４２、ドライブローラ４３のうちの所定ローラの回転軸とギアを介して連動されている。
【００３０】
従って、糊付けローラ（不図示）の回転に伴って、ギアを介して回転運動が伝達された他のローラも回転し、原反ロールから繰り出されて上下部構体３，４間に挟み込まれたクロスは、各ローラ間を通って後方から前方へ搬送され、その途中で糊付けローラ上を搬送される際に糊桶から糊上げローラを介して引き上げられた糊がクロス裏面に転写塗布される。
【００３１】
本実施例においては、上部構体４には、その左右両側壁４０の間に亘って、上方の前後位置に二本の棒状のパイプステー４５が横架されており、この二本のパイプステー４５と左右両側壁４０とで上部構体のフレームが形成されている。
【００３２】
この前後二本のパイプステー４５の間には、上部構体の左右両端よりも、中央寄りの位置に一対の略Ｄ形状の把手部１０が装着されている。この装着位置は、作業者が一人で両把手部１０を握って壁紙糊付機を持ち運ぶのに充分な力を出せる把手部間距離となる位置に設定する。
【００３３】
一対の把手部１０は、それぞれ同一形態を有するものであり、握り部１１の下方の前後両端部１３の外側でステー４５の内側面に回動可能に軸支されている。具体的には、図２に示すように、前後両端部１３には、把手側嵌合部としての凹部１４が形成されており、対応するステー４５の内側面には、前記凹部１４に摺動可能に嵌合する凸部が設けられている。よって、これら凹凸部で構成される嵌合部を回動中心として、把手部１０はステー４５に回動可能に軸支されるものである。凸部としては、例えばステー４５の外側から貫通状態で取り付けられたボルト部材が利用できる。
【００３４】
また、各把手部１０には、ステー４５に対する係合部として、前後両端部１３の外表面の凹部１４の上下位置に一対の突部１５が一体形成されており、この一対の突部１５がステー４５を上下で挟持することによって把手部１０が前後二本のステー４５間で固定状態となる。
【００３５】
このような一対の突部１５は、その突部同士の幅間隔が若干ステー４５の上下幅より小さく、把手部１０の前後両端部１３を二本のステー４５間に押し込むことによって、部材の撓みで一対の突部１５がステー４５を挟持する前後ステー４５の間に前後両端部１３が嵌り込む。またこのステー挟持状態にある把手部１０にある程度以上の外力を加えれば、一対の突部１５はステー４５の挟持状態から外れて把手部１０は前記嵌合部を回動中心として回動可能となる。
【００３６】
具体的には、例えば、把手部１０も、糊付機本体１を構成する素材として一般的に用いられているアルミ製とすれば、適度な挟持強度と共に挟持解除の際に必要な部材撓みも良好に得られる。
【００３７】
そこで、一対の突部１５によるステー４５の挟持状態が得られるのを、把手部１０の握り部１１が、糊付機本体の１上方へ向かって突出する掴み状態と、握り部１１が糊付機本体１の下方へ向いて把手部１０の底面１２が上面を向く吊下状態との二状態とする。
【００３８】
また、本実施例においては、上部構体４の上面を覆う蓋部５には、把手部１０の掴み状態において上方を向いた握り部１０を突出させる開口５１が設けられている。この開口５１は、把手部１０の吊下状態において上面を向く把手部の底面１２が該開口５１のほぼ全面を塞ぐように露呈するものとした。
【００３９】
従って、壁紙糊付機を持ち運ぶ際には、図１（ａ）に示すように、掴み状態で両把手部１０を固定し、その上方を向く握り部１１が開口５１から突出するように蓋部５を上部構体４に装着することができ、蓋部５で上部構体４を覆って、構体内部にゴミ等の異物が入り込むのを防ぎながら、一人で両把手部１の握り部１１を掴んで容易に壁紙糊付機を持ち運ぶことができる。
【００４０】
また、壁紙糊付機の収納、車載を行うなど、把手部１０を掴む必要が無い状態が続く際には、図１（ｂ）に示すように、蓋部５を外し、掴み状態から、握り部１１が下方へ向く方向へ把手部１０に力を加えて一対の突部１５によるステー４５に対する固定を解除し、把手部１０を回動させて、前記吊下状態で把手部１０を固定すれば良い。
【００４１】
さらに、両把手部１０を吊下状態で固定したら、図１（ｃ）に示すように、蓋部５を上部構体４に装着してその上面を覆えば、両開口５１から外へ突出するものはなく、把手部１０の底面１２が開口５１を塞ぐ。従って、この状態において、壁紙糊付機は上面がなんら周囲からの干渉、衝撃を受けるもののないフラットな状態であると同時に構体内部へのゴミ等の浸入も防がれ、効率的で良好な収納、車載状態が得られる。
【００４２】
なお、以上の実施例では、把手部１０の下方前後端部とステー４５内側面との嵌合部は、ステー側嵌合部を凸部とし、把手側嵌合部を凹部形状としが、互いに凹凸を逆にしてもかまわない。
【００４３】
また、本実施例における壁紙糊付機は、図３に示すように、下部構体３の左右両側壁３０端の下部に配された一対の主脚部２を備えており、この左右一対の主脚部２は、下端にキャスター支持部２１を備え、左右両側壁３０の下部中央部の内側に設けられた左右一対の脚部保持部材によって、糊付機本体１の下面側から垂下立設させた開脚状態と、糊付機本体１の下面側へ折り畳んだ収納状態との間で折り畳み動作するものである。
【００４４】
この主脚部２及び脚部保持部材の構成は、収納状態において脚部構成の全てが糊付機本体１の直下領域内に収まるように構成されている。従って、作業員一人の手で前記一対の把手部１０を掴んで本壁紙糊付機を持ち運ぶ際に、主脚部２を収納状態とすれば、脚部が本体外側に突出して持ち運びの障害となることもなく、脚部付き壁紙糊付機であってもスムースに持ち運ぶことができる。
【００４５】
また、壁紙糊付機は、二人で持ち運ぶこともあるため、上記一対の把手部１０の他に、左右両側壁４０の上部に端部握り４６を設けても良い。この場合、握り部４６も上部構体４の上面から突出することがないように、例えば左右両側壁４０に切欠き４７を設けた上に配置する構成が好ましい。
【符号の説明】
【００４６】
１：糊付機本体
２：主脚部
３：下部構体
４：上部構体
５：蓋部
６：コントローラ
１０：把手部
１１：把手部の握り部
１２：把手部の底面
１３：握り部下方の前後両端部
１４：凹部（把手側嵌合部）
１５：一対の突部
２１：キャスター支持部
３０：下部構体の左右両側壁
４０：上部構体の左右両側壁
４１：上側ピンチローラ
４２：押さえローラ
４３：ドライブローラ
４５：パイプステー
４６：端部握り
４７：切欠き
【図１】
2010274475.tif 000003
【図２】
2010274475.tif 000004
【図３】
2010274475.tif 000005